(57)【要約】【課題】簡素化されたシンプルな構造でありながら、良好なディスプレイ性を実現できる包装体を提供することである。【解決手段】包装体１０は、箱型に形成された台紙１１と、台紙１１の表面を覆って装着された透明な筒状シュリンクフィルム１２とを備える。包装体１０では、被包装物であるカミソリ２００が、台紙１１の前面部１３の表面に接して配置されており、前面部１３が後方に向かって凸となり、後方に向かって膨出するように湾曲した湾曲部３０の表面と筒状シュリンクフィルム１２との間に形成された収容部３２にカミソリ２００が収容されている。【選択図】図１
2013209107.tif 000002
【特許請求の範囲】
【請求項１】
少なくとも前面部が形成された台紙と、
前記台紙の前記前面部を覆って装着された筒状シュリンクフィルムと、
を備え、
前記前面部の少なくとも一部が後方に向かって凸となるように湾曲して、該湾曲部分と前記筒状シュリンクフィルムとの間に被包装物を収容する収容部が形成されたことを特徴とする包装体。
【請求項２】
請求項１に記載の包装体において、
前記湾曲部分は、前記筒状シュリンクフィルムを熱収縮させることにより前記前面部の少なくとも一部が湾曲して形成されていることを特徴とする包装体。
【請求項３】
請求項１又は２に記載の包装体において、
前記台紙は、前記前面部の両側から後方に延設された側面部を有し、
前記側面部同士の間に補強部が設けられていることを特徴とする包装体。
【請求項４】
請求項３に記載の包装体において、
前記台紙は、前記補強部として、上面部及び下面部を有し、
前記上面部及び前記下面部は、前記各側面部に接触し、前記各側面部の間に挟まれて配置されることを特徴とする包装体。
【発明の詳細な説明】
【技術分野】
【０００１】
本発明は、包装体に関する。
【背景技術】
【０００２】
カミソリや歯ブラシなどの被包装物を外側から見えるように包装して、良好なディスプレイ性を発揮する所謂ブリスターパックが広く用いられている。一般的に、ブリスターパックは、被包装物の形状や寸法に合わせて成形された樹脂製の成形体と、成形体の開口部を塞ぐ台紙とで構成されている。ブリスターパックについては、かかる構成に起因して次のような問題点が指摘されている。まず、成形体の薄肉化等による樹脂使用量の低減が難しいことが挙げられる。さらに、成形体の製造コストが高く、また成形体と台紙とを組み立てる前においても成形体が嵩高いため輸送性が悪いことも挙げられる。
【０００３】
このような状況に鑑みて、特許文献１では、台紙と、台紙と共に被包装物を収容する収容部を構成するプラスチックシートと、台紙及びプラスチックシートを覆って熱収縮させることによりそれらを結束する熱収縮性プラスチックフィルムとを備えた包装体が提案されている。
【先行技術文献】
【特許文献】
【０００４】
【特許文献１】特開２０１１‐２０７５１６号公報
【発明の概要】
【発明が解決しようとする課題】
【０００５】
特許文献１に開示された包装体によれば、被包装物の良好なディスプレイ性を維持しながらブリスターパックの上記問題点を改善することができる。しかし、かかる包装体において良好なディスプレイ性を維持するためには、プラスチックシートが必要であり、構造の簡素化等の観点から未だ改良の余地がある。
即ち、本発明の目的は、簡素化されたシンプルな構造でありながら、良好なディスプレイ性を実現できる包装体を提供することである。
【課題を解決するための手段】
【０００６】
本発明に係る包装体は、少なくとも前面部が形成された台紙と、前記台紙の前記前面部を覆って装着された筒状シュリンクフィルムとを備え、前記前面部の少なくとも一部が後方に向かって凸となるように湾曲して、該湾曲部分と前記筒状シュリンクフィルムとの間に被包装物を収容する収容部が形成されたことを特徴とする。
【０００７】
上記構成によれば、湾曲した前面部の表面と筒状シュリンクフィルムとの間に形成された収容部に被包装物を収容することができるため、被包装物を外側から見える状態で包装できる。つまり、台紙と筒状シュリンクフィルムとで構成される簡素化されたシンプルな構造でありながら、被包装物の良好なディスプレイ性を実現できる。なお、前面部が後方に向かって凸となるように湾曲しているため、例えば、被包装物の形状がフィルム上に大きく浮き上がることがなく、意匠性や被包装物の保護性が良好な包装形態が得られる。
【０００８】
また、前記湾曲部分は、前記筒状シュリンクフィルムを熱収縮させることにより前記前面部の少なくとも一部が湾曲して形成された構成とすることができる。つまり、前面部の少なくとも一部は、熱収縮した筒状シュリンクフィルムにより湾曲した形状に維持されている。当該構成によれば、台紙の前面部を、筒状シュリンクフィルムの熱収縮により所望の湾曲形状にすることができる。
【０００９】
また、前記台紙は、前記前面部の両側から後方に延設された側面部を有し、前記側面部同士の間に補強部が設けられた構成とすることができる。
当該構成によれば、補強部によって、筒状シュリンクフィルムの熱収縮による側面部等の変形を防止でき、包装体の形状がより安定する。
【００１０】
また、前記台紙は、前記補強部として、上面部及び下面部を有し、前記上面部及び前記下面部は、前記各側面部に接触し、前記各側面部の間に挟まれて配置されることが好適である。
当該構成によれば、包装体の形状をより安定に維持することができる。
【発明の効果】
【００１１】
本発明に係る包装体によれば、簡素化されたシンプルな構造でありながら、良好なディスプレイ性を実現することができる。本発明に係る包装体によれば、例えば、従来の包装体よりも包装材料の使用量を削減することができ、コストダウンや環境負荷の低減を実現できる。
【図面の簡単な説明】
【００１２】
【図１】本発明に係る第１の実施形態である包装体を示す前方斜視図である。
【図２】図１のＡＡ線断面を模式的に示す図である。
【図３】図１に示す包装体を構成する台紙のみを抜き出して示す前方斜視図である。
【図４】図１に示す包装体を構成する台紙の展開図である。
【図５】図１に示す包装体を構成する筒状シュリンクフィルム（熱収縮前）を模式的に示す図である。
【図６】本発明に係る第２の実施形態である包装体を示す前方斜視図である。
【図７】図６に示す包装体を構成する台紙の展開図である。
【図８】本発明に係る第３の実施形態である包装体を示す前方斜視図である。
【図９】図８に示す包装体の後方斜視図である。
【図１０】本発明に係る第４の実施形態である包装体を示す前方斜視図である。
【図１１】本発明に係る第５の実施形態である包装体を示す前方斜視図である。
【図１２】本発明に係る第５の実施形態である包装体を示す正面図である。
【発明を実施するための形態】
【００１３】
図面を参照しながら、本発明に係る実施形態の一例である包装体１０，５０，８０について以下詳細に説明する。なお、実施形態において参照する図面は、模式的に記載されたものであり、図面に描画された構成要素の寸法等は、現物と異なる場合がある。具体的な寸法等は、以下の説明を参酌して判断されるべきである。
【００１４】
また、本明細書では、台紙の壁面部のうち、被包装物が接する壁面部を「前面部」とする。そして、被包装物が接する前面部の面を「表面」、表面と反対側の面を「裏面」とする。また、前面部を基準として、その表面側を前方、裏面側を後方とする。
【００１５】
また、実施形態では、包装体１０，５０，８０，１００，１２０の被包装物として、カミソリ２００及び歯ブラシ３００を例示するが、被包装物はこれに限定されない。例えば、化粧品や文房具、電池など、従来のブリスターパックと同様の被包装物とすることができる。
【００１６】
カミソリ２００は、柄２０１と、ヘッド２０２とを有する一般的なＴ字型カミソリである。柄２０１は、細長い棒状を呈し、長手方向の中間部が膨出するように長手方向両端部が同じ方向に向かって緩やかに湾曲している。なお、柄２０１は、長手方向一端部が他端部よりも太く湾曲の程度が大きくなっており、当該一端部にヘッド２０２が設けられている。ヘッド２０２は、刃２０４を有し、その長手方向が柄２０１の長手方向に対して略直交するように設けられている。このように、カミソリ２００では、柄２０１の一端部及びヘッド２０２が、柄２０１の長手方向に対して垂直な方向に大きく突出している。
【００１７】
歯ブラシ３００は、柄３０１と、ヘッド３０２とを有する一般的な歯ブラシである。柄３０１は、細長い棒状を呈し、ヘッド３０２側に向かってやや細くなっている。ヘッド３０２は、複数の毛束３０３を有し、毛束３０３が柄３０１の長手方向に対して垂直な方向に大きく突出している。
【００１８】
＜第１の実施形態＞
以下、図１〜図３を参照しながら、本発明に係る第１の実施形態である包装体１０について詳説する。また、図４及び図５を適宜参照する。
図１は、包装体１０を示す前方斜視図（筒状シュリンクフィルム１２にドットハッチングを付する）、図２は、図１のＡＡ線断面図、図３は、台紙１１のみを抜き出して示す前方斜視図である。図４は、台紙１１の展開図、図５は、熱収縮前の筒状シュリンクフィルム１２ｚを示す斜視図である。なお、湾曲部３０となる部分には（３０）を付する。
【００１９】
図１〜図３に示すように、包装体１０は、箱型に形成された台紙１１と、台紙１１の表面を覆って装着された透明な筒状シュリンクフィルム１２と、被包装物であるカミソリ２００とを備える。包装体１０は、前後方向、横方向よりも上下方向に長く延びた外観を有し、通常、自立した状態で商品棚等に陳列される。台紙１１及び筒状シュリンクフィルム１２も上下方向に長く、筒状シュリンクフィルム１２は、その軸方向が上下方向に沿うように装着されている。なお、包装体１０の「上下方向」とは、包装体１０を自立させたときに、鉛直方向に沿う方向を意味し、「横方向（左右方向）」とは、上下方向及び前後方向に直交する方向を意味する。
【００２０】
包装体１０では、カミソリ２００が、台紙１１の前面部１３の表面に接して配置されている。より詳しくは、前面部１３が後方に向かって凸となり、後方に向かって膨出するように湾曲しており、湾曲した前面部１３（湾曲部３０）の表面と筒状シュリンクフィルム１２との間に形成された隙間（収容部３２）にカミソリ２００が収容されている。また、包装体１０では、柄２０１が上下方向に沿うようにカミソリ２００を立てた状態で包装されている。
【００２１】
台紙１１は、前面部１３と、その左右両側から後方に延設された側面部（左側面部１４及び右側面部１５）とを有する。さらに、台紙１１は、後面部１６と、上面部１７と、下面部１８とを有し、上記のように箱型に形成されている。後面部１６、上面部１７、及び下面部１８は、例えば、左側面部１４及び右側面部１５が筒状シュリンクフィルム１２の熱収縮により内側に折れ曲がる又は湾曲することを防止する補強部(保形手段)として機能する。また、後面部１６等は、例えば、前面部１３が過度に湾曲することを防止する。なお、包装体１０（台紙１１）の「左右」は、前面部１３を正面視したときの左右を意味する。
【００２２】
台紙１１には、各壁面部によって六方が囲まれた内部空間が形成されている。また、台紙１１は、後面部１６が下面部１８に近づくにつれて幅が広がったテーパ形状を有する（図４参照）。一方、左側面部１４及び右側面部１５は、下面部１８に近づくにつれて幅がやや狭くなった形状を有する。前面部１３は、上下方向に沿って略同等の幅を有するが、前面部１３の上部は前方に向かって凸となるように湾曲しているため、表面に沿った長さは上部で長くなっている。
【００２３】
台紙１１には、樹脂製シートを用いることもできるが、材料コスト低減等の観点から、紙材を主基材とするシート（以下、「紙基材」という）を用いることが好適である。紙基材としては、紙のみからなる厚紙や紙製シートに各種樹脂をコーティング又は樹脂製シートを張り合わせた合成紙等が例示できる。なお、紙基材には、内容物の商品名や各種デザインなどを表示する印刷を設けることができる。以下、台紙１１は、不透明な紙基材から構成されるものとして説明する。
【００２４】
図４に示すように、台紙１１は、紙基材１１ｚを箱型に組み立てて形成できる。紙基材１１ｚでは、例えば、右側面部１５が１５Ａと１５Ｂとで構成され、差し込み片１９を有する側面部１５Ａが前面部１３に、差し込み孔２０を有する側面部１５Ｂが後面部１６にそれぞれ繋がって設けられている。また、紙基材１１ｚには、上下方向に沿って複数の罫線２１ａ，２１ｂ，２２ａ，２２ｂが形成されている。そして、紙基材１１ｚを各罫線で折り曲げ、差し込み片１９を差し込み孔２０に差し込むことで、前面部１３と後面部１６とが対向し、左側面部１４と右側面部１５とが対向した形態となる。上面部１７は、１７Ａと１７Ｂとで構成され、差し込み片２３Ａを差し込み孔２３Ｂに差し込むことで形成される。この差し込みの際に、上面部１７Ｂは内部空間に押し込まれる。また、下面部１８は、１８Ａと１８Ｂとで構成され、差し込み片２４Ｂを差し込み孔２４Ａに差し込むことで形成される。この差し込みの際に、下面部１８Ａは内部空間に押し込まれる。このようにして、台紙１１は、接着剤や粘着テープを用いることなく箱型に形成されている。但し、差し込み片、差し込み孔の代わりに接着部を設けて箱型に形成してもよい。
【００２５】
上面部１７及び下面部１８を構成する１７Ａ，１７Ｂ，１８Ａ，１８Ｂのうち、上面部１７Ｂ及び下面部１８Ａは、台紙１１を箱型に形成した際に内部空間に押し込まれる。そして、上面部１７Ｂ及び下面部１８Ａは、両側面部１４，１５に接触し、両側面部１４，１５の間に挟まれて配置され、上記のように補強部として機能する。つまり、両側面部１４，１５の間で上面部１７Ｂ及び下面部１８Ａが突っ張って、両側面部１４，１５が筒状シュリンクフィルム１２の熱収縮により内側に折れ曲がる又は湾曲するのを防止する。また、本実施形態では、上面部１７Ｂ及び下面部１８Ａと、両側面部１４，１５とが互いに略直交して配置されているため補強機能に優れる。一方、上面部１７Ａ及び下面部１８Ｂは、通常、両側面部１４，１５の間に挟まれて配置されないため補強機能を有さない。なお、上面部１７Ｂ及び下面部１８Ａは、台紙１１を箱型に形成した段階で両側面部１４，１５に接触していてもよいし、箱型に形成した段階では両側面部１４，１５との間に僅かな隙間があり、筒状シュリンクフィルム１２を熱収縮させた段階で両側面部１４，１５に接触してもよい。
【００２６】
なお、各壁面部の境界は明確に区別できなくてもよいが、台紙１１では、罫線２１ａ，２８ａと罫線２１ｂ，２８ｂとの間が前面部１３であり、罫線２２ａと罫線２２ｂとの間が後面部１６である。そして、前面部１３の幅方向両側から後方に向かって延び、前面部１３と後面部１６とを繋ぐ壁面部が左側面部１４及び右側面部１５である。このように、包装体１０は、罫線２２ａと罫線２２ｂとを介して両側面部１４，１５が後面部１６と繋がっているので、左側面部１４及び右側面部１５が筒状シュリンクフィルム１２の熱収縮により内側に折れ曲がる又は湾曲するのが確実に防止される。
【００２７】
包装体１０は、上記のように、前面部１３の表面と筒状シュリンクフィルム１２との間にカミソリ２００を配置して包装する。前面部１３には、カミソリ２００を保持するための構造として挿入口２５ｚが形成されている。また、前面部１３には、湾曲部３０が形成されている。台紙１１において、挿入口２５ｚは前面部１３の上部に形成されており、湾曲部３０は挿入口２５ｚの下に形成されている。
【００２８】
挿入口２５ｚは、カミソリ２００のヘッド２０２が挿入される開口部である。挿入口２５ｚは、前面部１３に切り込まれた２本のカット線２６，２７により形成されている。より詳しくは、幅方向に延びたカット線２６，２７と、前面部１３の上端から上下方向に延びた罫線２８ａ，２８ｂとに囲まれた部分である折り込み部２５が、後方に押し込まれることで挿入口２５ｚが形成される。なお、折り込み部２５は、ヘッド２０２を挿入する前に押し込まれていてもよいし（図３参照）、ヘッド２０２の挿入により押し込まれてもよい。
【００２９】
カット線２６，２７は、上下方向に対して、少なくともヘッド２０２が挿入可能な間隔をあけて形成される。カット線２６は幅方向に略平行であり、カット線２７はその中間部が下方に向かって凸となるように湾曲している。即ち、カット線２６，２７の間隔は、カット線の両端に近づくほど狭くなっている。そして、カット線２６，２７の左端が罫線２８ａに、カット線２６，２７の右端が罫線２８ｂにそれぞれ繋がっている。
【００３０】
罫線２８ａ，２８ｂは、少なくともヘッド２０２が挿入可能な間隔をあけて形成される。罫線２８ａ，２８ｂの間隔は、湾曲部３０の両側に形成された罫線２１ａ，２１ｂの間隔よりも広く、このため、前面部１３の上端部からカット線２６までの部分１３ｘ（以下、「前面上部１３ｘ」とする）が前方に向かって膨出するように湾曲している。一方、折り込み部２５は、その幅方向中央部に形成された罫線２９ａ、及び罫線２８ａ，２８ｂで折り曲げられて後方に押し込まれる。
【００３１】
挿入口２５ｚに挿入されたヘッド２０２は、湾曲部３０の上端部に引っ掛けられ、前面上部１３ｘと湾曲部３０とに挟まれて上下方向に対する動きが拘束されている。また、挿入口２５ｚの開口寸法が横方向中央部よりも両端部で狭くなっている。これにより、ヘッド２０２の横方向に対する動きも抑えることができる。
【００３２】
湾曲部３０は、後方に向かって凸となるように湾曲した部分である。具体的には、前面部１３に切り込まれた２本のカット線２７，３１と、罫線２１ａ，２１ｂとに囲まれた部分である。湾曲部３０の幅方向中央部にはカミソリ２００の柄２０１が接触しており、湾曲部３０の表面と筒状シュリンクフィルム１２との間にカミソリ２００を収容可能な隙間である収容部３２が形成されている。
【００３３】
湾曲部３０は、柄２０１が接触している幅方向中央部において、最も大きく後方に膨出している。即ち、湾曲部３０の幅方向中央部に後方への最大膨出部が存在する。湾曲部３０は、前面部１３の全幅にわたって湾曲しており、幅方向両側がカミソリ２００よりも前方に位置する。これにより、筒状シュリンクフィルム１２と共に断面視（フィルムの径方向に沿って包装体１０を切断した）略半円状乃至三日月状の収容部３２を形成している（図２参照）。なお、本実施形態では、後述するように、柄２０１の一部が湾曲部３０の幅方向両側よりも前方に位置している。
【００３４】
カット線３１は、罫線２１ａから罫線２１ｂにわたって直線状に且つ幅方向に対して略平行に形成されている。より詳しくは、前面部１３の下端部から１０〜５０ｍｍ程度上方であって、ヘッド２０２が挿入口２５ｚに挿入された状態で柄２０１の他端部（ヘッド２０２と反対側の端部）よりも上方となる位置に形成されている。そして、包装体１０では、柄２０１の他端部が、湾曲部３０と前面部１３の下端部からカット線３１までの部分１３ｙ（以下、「前面下部１３ｙ」とする）との間に挿入されている。なお、前面部１３の湾曲を容易にするために、湾曲部３０の下端部の幅方向中央から５〜３０ｍｍ程度の長さで上下方向に沿った罫線２９ｂが形成されている。また、前面部１３の湾曲を容易にするために、例えば、湾曲部３０の下端部の幅方向両側に切込み等を設けてもよい（図示せず）。
【００３５】
筒状シュリンクフィルム１２は、熱収縮により台紙１１の形状に追従して装着されている。具体的には、台紙１１の前面部１３、左側面部１４、右側面部１５、及び後面部１６の全体と、上面部１７、及び下面部１８の周縁とを覆って筒状シュリンクフィルム１２が装着されている。かかる装着形態により、台紙１１の保形性が良好となり、筒状シュリンクフィルム１２の位置ずれや抜けの発生が防止される。また、カミソリ２００の脱落を防止することができる。なお、包装体１０は、カミソリ２００をセットした台紙１１に、図５に示す筒状シュリンクフィルム１２ｚを被嵌して熱収縮させることにより得られる。
【００３６】
筒状シュリンクフィルム１２ｚには、従来公知の一軸又は二軸延伸されたフィルムを用いることができる。なお、フィルムを通してカミソリ２００が見えるように、例えば、無色透明なフィルムが用いられる。但し、カミソリ２００が見える範囲において、着色されたフィルムや印刷層が形成されたフィルムを用いてもよい。
【００３７】
筒状シュリンクフィルム１２ｚは、例えば、延伸処理されたフィルムの端縁同士を、有機溶剤や接着剤を用いて、又は熱溶着により接合（所謂センターシール）して作製される。筒状シュリンクフィルム１２ｚは、センターシールにより形成されたセンターシール部３３を有し、これにより筒形状が維持されている。また、筒状シュリンクフィルム１２ｚには、包装体１０からカミソリ２００を取り出す際にフィルムを破断するためのミシン目線３４を設けることができる。
【００３８】
上記のように、包装体１０では、台紙１１にカミソリ２００をセットすることにより、前面部１３の一部が後方に向かって膨出するように湾曲して湾曲部３０が形成される。具体的には、ヘッド２０２を挿入口２５ｚに挿入し、湾曲部３０と前面下部１３ｙとの間に柄２０１の他端部を挿入することにより、柄２０１に押されて湾曲部３０が形成され、湾曲部３０と筒状シュリンクフィルム１２との間に収容部３２が形成される。また、湾曲部３０の湾曲形状は、台紙１１が筒状シュリンクフィルム１２により締め付けられることで安定に維持される。つまり、包装体１０では、台紙１１、筒状シュリンクフィルム１２、及び被包装物であるカミソリ２００によって、収容部３２が形成されているといえる。
【００３９】
また、包装体１０では、挿入口２５ｚにヘッド２０２が挿入され、ヘッド２０２が前面部１３の後方に突出している。但し、台紙１１は、左側面部１４、右側面部１５、後面部１６等を有し、箱型に形成されているため、ヘッド２０２は各壁面部に囲まれた内部空間に位置している。このため、包装体１０は、筒状シュリンクフィルム１２がヘッド２０２に接触することなく装着された包装形態を有する。
【００４０】
一方、筒状シュリンクフィルム１２は、ヘッド２０２を除くカミソリ２００の一部に接触して装着されていてもよい。図１に例示する形態では、シュリンクフィルム１２の鎖線円で示す部分が柄２０１の一部に接触している。筒状シュリンクフィルム１２が突出部を除く、被包装物の一部に接触して装着されることにより、意匠性や安全性を損なうことなく、被包装物をより安定に保持することができる。
【００４１】
以上のように、包装体１０は、湾曲部３０の表面と透明な筒状シュリンクフィルム１２との間に形成された収容部３２を有する。包装体１０は、台紙１１と筒状シュリンクフィルム１２とで構成される簡素化されたシンプルな構造でありながら、カミソリ２００の良好なディスプレイ性を有し、またカミソリ２００の形状がフィルム上に大きく浮き上がることがなく意匠性や取り扱い性に優れる。さらに、包装体１０によれば、従来の包装体よりも包装材料の使用量を削減することができ、コストダウンや環境負荷の低減を実現できる。
【００４２】
＜第２の実施形態＞
以下、図６及び図７を参照しながら、本発明に係る第２の実施形態である包装体５０について詳説する。以下では、上記実施形態と同様の構成要素には同じ名称を使用して重複する説明を省略し、上記実施形態との相違点を詳細に説明する（第３〜５の実施形態についても同様）。
【００４３】
図６は、包装体５０を示す前方斜視図（筒状シュリンクフィルム５２にドットハッチングを付する）、図７は、台紙５１の展開図である。
包装体５０は、包装体１０と同様に、台紙５１と、筒状シュリンクフィルム５２と、被包装物であるカミソリ２００とを備える。そして、包装体５０は、湾曲部６７の表面と筒状シュリンクフィルム５２との間に形成された収容部６９にカミソリ２００を収容して包装する。なお、カミソリ２００のヘッド２０２は、折り込み部６２を押し込んで形成された挿入口６２ｚに挿入されており、筒状シュリンクフィルム５２はヘッド２０２に接触することなく装着されている。
【００４４】
一方、台紙５１は、包装体１０と異なり、壁面部として、前面部５３、湾曲面部５４、上面部５５、及び下面部５６を有する。湾曲面部５４は、後方に向かって凸となるように湾曲して、前面部５３の幅方向両端に繋がっている。湾曲面部５４は、台紙１１の左側面部１４及び右側面部１５が後方で一体となった壁面部であって、台紙１１のような罫線が存在せず、全体が湾曲して特に後端の曲率が大きくなった曲面形状を有する。また、上面部５５及び下面部５６は後端に頂点を有する略三角形状を呈している。
【００４５】
台紙５１は、紙基材５１ｚを箱型に組み立てて形成できる。紙基材５１ｚには、挿入口６２ｚ及び湾曲部６７を形成するカット線６３，６４，６８が切り込まれている。紙基材５１ｚでは、湾曲面部５４が５４Ａと５４Ｂとで構成され、紙基材５１ｚを罫線５９ａ，５９ｂ，６５ａ，６５ｂで折り曲げて差し込み片５７を差し込み孔５８に差し込むことで、後方に向かって膨出するように湾曲した湾曲面部５４が形成される。上面部５５は、５５Ａと５５Ｂとで構成され、差し込み片６０を２つの上面部５５Ｂの間に差し込むことで形成される。この差し込みの際に、上面部５５Ｂは内部空間に押し込まれる。また、下面部５６は、５６Ａと５６Ｂとで構成され、差し込み片６１を２つの下面部５６Ｂの間に差し込むことで形成される。この差し込みの際に、下面部５６Ｂは内部空間に押し込まれる。この場合、上面部５５Ｂ及び下面部５６Ｂは内部空間に押し込まれているが、両側面部１４，１５に接触せず、両側面部１４，１５が変形しないように突っ張ることができない。即ち、上面部５５及び下面部５６は、通常、補強部として機能しない。但し、例えば、２つの上面部５５Ｂが互いに係合する形態とすれば、２つの上面部５５Ｂが合わさって一体となり補強機能を奏する。つまり、一体となった上面部５５Ｂは、両側面部１４，１５に接触し、両側面部１４，１５の間で突っ張って、両側面部１４，１５が筒状シュリンクフィルム１２の熱収縮により内側に折れ曲がる又は湾曲するのを防止する。
【００４６】
以上のように、包装体５０は、包装体１０と台紙の形状が異なり、それに伴って筒状シュリンクフィルムの形状も異なるが、カミソリ２００の保持構造及び包装形態は包装体１０と同様である。
【００４７】
＜第３の実施形態＞
以下、図８及び図９を参照しながら、本発明に係る第３の実施形態である包装体８０について詳説する。
【００４８】
図８は、包装体８０を示す前方斜視図、図９は、包装体８０を示す後方斜視図である（筒状シュリンクフィルム８２にドットハッチングを付する）。
包装体８０は、他の実施形態と同様に、台紙８１と、筒状シュリンクフィルム８２と、被包装物であるカミソリ２００とを備えるが、台紙８１が、前面部８３、左側面部８４、及び右側面部８５のみから構成され、後方、上方、及び下方に壁面部を有さない点で異なる。そして、包装体８０では、後方からカミソリ２００のヘッド２０２が見えている。また、ヘッド２０２が挿入される挿入口８６ｚは、紙基材が切断除去されて形成されており、挿入口８６ｚの下には、２段の湾曲部８７，８８が形成されている。
【００４９】
台紙８１の左側面部８４及び右側面部８５は、他の実施形態と同様に、前面部８３の幅方向両側から後方に向かって延設されている。なお、左側面部８４及び右側面部８５は、挿入口８６ｚに挿入されて後方に突出したヘッド２０２の位置よりも後方にわたって延設しており、筒状シュリンクフィルム８２がヘッド２０２に接触することを防止している。さらに、包装体８０では、左側面部８４と右側面部８５との間に配置されたカミソリ２００の付属物である替え刃セット２０３が設けられている。替え刃セット２０３は、左側面部８４及び右側面部８５が筒状シュリンクフィルム８２の熱収縮により内側に折れ曲がることを防止する補強部（保形手段）として機能する。なお、包装体８０は、２段の湾曲部８７，８８の表面と筒状シュリンクフィルム８２との間に形成された収容部８９を有する。
なお、包装体８０に収容する被包装物の種類によって、付属物（補強部）の形態も適宜変更される。
【００５０】
＜第４の実施形態＞
以下、図１０を参照しながら、本発明に係る第４の実施形態である包装体１００について詳説する。
【００５１】
図１０は、包装体１００を示す前方斜視図である（筒状シュリンクフィルム１０２にドットハッチングを付する）。
包装体１００は、台紙１０１と、筒状シュリンクフィルム１０２と、被包装物である歯ブラシ３００とを備える。包装体１００は、吊り下げ陳列を可能とする吊り下げ帯１０５を有し、例えば、歯ブラシ３００の長手方向が鉛直方向に沿うように吊り下げ陳列される。台紙１０１は、歯ブラシ３００が表面に接する前面部のみから構成されており、歯ブラシ３００の全長よりも長い寸法（上下方向長さ）を有する。
【００５２】
台紙１０１は、上半部が後方に向かって凸となるように湾曲し、下半部が平坦な形状を有している。上半部に形成された湾曲部１０３は、下半部に形成された平坦部１０４よりも幅広であり、筒状シュリンクフィルム１０２を取り外すと、台紙１０１は略しゃもじ型を呈する。つまり、歯ブラシ３００の幅方向両側に位置する部分が筒状シュリンクフィルム１０２の熱収縮により湾曲して湾曲部１０３が形成されている。なお、湾曲部１０３の幅方向両側は、歯ブラシ３００のヘッド３０２よりも前方に延出している。
【００５３】
筒状シュリンクフィルム１０２は、湾曲部１０３の全体を覆い、平坦部１０４の中間部にわたって装着されている。筒状シュリンクフィルム１０２は、軸方向一端部が接合されて閉じられ、軸方向他端部が開口した形態を有する。そして、当該開口部から歯ブラシ３００の柄３０１が延出している。かかる装着形態により、湾曲部１０３と筒状シュリンクフィルム１０２との間に収容部１０６が形成され、歯ブラシ３００は、ヘッド３０２が筒状シュリンクフィルム１０２に接触することなく包装される。また、ヘッド３０２が湾曲部１０３により両側から挟まれ、柄３０１の下部が筒状シュリンクフィルム１０２によって平坦部１０４に強く押し付けられているため、歯ブラシ３００は安定に支持される。
包装体１００の収容部１０６は、例えば、台紙１０１を後方に向かって凸となるように予め湾曲させた状態で、筒状シュリンクフィルム１０２を、湾曲部の幅方向両側においてフィルムが直線状に張るまで熱収縮させることによって形成される。
【００５４】
＜第５の実施形態＞
以下、図１１及び図１２を参照しながら、本発明に係る第５の実施形態である包装体１２０について詳説する。
【００５５】
図１１は、包装体１２０を示す前方斜視図、図１２は、包装体１２０を示す正面図である（筒状シュリンクフィルム１２２にドットハッチングを付する）。
包装体１２０は、台紙１２１と、筒状シュリンクフィルム１２２と、歯ブラシ３００とを備える。台紙１２１は、台紙１０１と同様に、上半部に形成された湾曲部１２３と、下半部に形成された平坦部１２４とを含み、湾曲部１２３と筒状シュリンクフィルム１２２との間に歯ブラシ３００の収容部１２９が形成された主部１２５を有する。
【００５６】
一方、台紙１２１は、主部１２５の周囲に設けられた枠部１２６を有する点で台紙１０１と異なる。包装体１２０では、台紙１２１に形成されたカット線１２７により主部１２５と枠部１２６とが分離され、主部１２５のみに筒状シュリンクフィルム１２２が装着されている。カット線１２７は、ヘッド３０２の周りを囲み、柄３０１の長手方向中間部にわたって平面視略しゃもじ型に形成されている。また、柄３０１の下端部からやや上方にカット線１２８が形成されており、柄３０１の下端部が、台紙１２１の裏面側に当接して安定に支持されている。なお、カット線１２７と１２８とは連続しておらず、これにより、主部１２５と枠部１２６とが繋がっている。また、包装体１２０は、枠部１２６に形成された吊り下げ孔１２８を有し、例えば、歯ブラシ３００の長手方向が鉛直方向に沿うように吊り下げ陳列される。包装体１２０は、被包装物の収容部１２９が形成された主部１２５に加えて枠部１２６を有するので、シンプルな構造でありながら、表示面積が大きく、良好なディスプレイ性を有する。
【００５７】
上記実施形態は、本発明の目的を損なわない範囲で適宜設計変更することができる。
例えば、上記実施形態では、前面部の一部が後方に向かって湾曲した台紙を例示したが、台紙は、前面部の全体が湾曲した形状であってもよい。
【符号の説明】
【００５８】
＜第１の実施形態＞
１０  包装体、１１  台紙、１１ｚ  紙基材、１２  筒状シュリンクフィルム、１３  前面部、１４  左側面部、１５，１５Ａ，１５Ｂ  右側面部、１６  後面部、１７，１７Ａ，１７Ｂ  上面部、１８，１８Ａ，１８Ｂ  下面部、１９，２３Ａ，２４Ｂ  差し込み片、２０，２３Ｂ，２４Ａ  差し込み孔、２１ａ，２１ｂ，２２ａ，２２ｂ，２８ａ，２８ｂ，２９ａ，２９ｂ  罫線、２５  折り込み部、２５ｚ  挿入口、２６，２７，３１  カット線、３０  湾曲部、３２  収容部、３３  センターシール部、３４  ミシン目線、２００  カミソリ、２０１  柄、２０２  ヘッド。
【００５９】
＜第２，３の実施形態＞
５０，８０  包装体、５１，８１  台紙、５１ｚ  紙基材、５２，８２  筒状シュリンクフィルム、５３，８３  前面部、５４，５４Ａ，５４Ｂ  湾曲面部、５５，５５Ａ，５５Ｂ  上面部、５６，５６Ａ，５６Ｂ  下面部、５７，６０Ａ，６１Ａ  差し込み片、５８  差し込み孔、５９ａ，５９ｂ，６５ａ，６５ｂ  罫線、６６  折り込み部、６６ｚ，８６ｚ  挿入口、６３，６４，６８，８７，８８，９１，９２  カット線、６７，８７，８８  湾曲部、６９，８９  収容部、８４  左側面部、８５  右側面部、２０３  替え刃セット、２０４  刃。
【００６０】
＜第４，５の実施形態＞
１００，１２０  包装体、１０１，１２１  台紙、１０２，１２２  筒状シュリンクフィルム、１０３，１２３  湾曲部、１０４，１２４  平坦部、１０５  吊り下げ帯、１２５  主部、１２６  枠部、１２７，１２８  カット線、１２９  吊り下げ孔、３００  歯ブラシ、３０１  柄、３０２  ヘッド、３０３  毛束。
【図１】
2013209107.tif 000003
【図２】
2013209107.tif 000004
【図３】
2013209107.tif 000005
【図４】
2013209107.tif 000006
【図５】
2013209107.tif 000007
【図６】
2013209107.tif 000008
【図７】
2013209107.tif 000009
【図８】
2013209107.tif 000010
【図９】
2013209107.tif 000011
【図１０】
2013209107.tif 000012
【図１１】
2013209107.tif 000013
【図１２】
2013209107.tif 000014